(57)【特許請求の範囲】
【請求項１】
電動工具の電源として該電動工具の工具本体にスライド装着可能に構成され且つスライド装着させる際の相対的なスライド移動によって該工具本体の本体側接続端子が接続されるバッテリ側接続端子を具備するバッテリパックであって、
前記バッテリパックの外装をなす筐体ケースには、前記バッテリ側接続端子に対する前記本体側接続端子の接続が可能となるように、該筐体ケースの内外を連通した状態でスライド装着のスライド方向に延びる端子接続用開口部が設けられており、
前記端子接続用開口部には、前記工具本体に対して非装着となるバッテリパック単体時に、自身が弾性を有することにより該端子接続用開口部の開口形状を閉塞する異物浸入規制部材が設けられており、
前記異物浸入規制部材は、前記バッテリ側接続端子に対する前記本体側接続端子の接続時における該接続を妨げないように機能することを特徴とするバッテリパック。
【請求項２】
請求項１に記載のバッテリパックにおいて、
前記異物浸入規制部材は、前記端子接続用開口部の開口形状を閉塞する形状にて形成されており、
前記バッテリ側接続端子に前記本体側接続端子が接続される場合には、前記異物浸入規制部材に当接してスライド移動する該本体側接続端子のスライド移動に応じて該異物浸入規制部材自身を弾性により変形させて該異物浸入規制部材の内側に該本体側接続端子を挿し入れることができるようになっており、
前記工具本体に対して非装着となるバッテリパック単体時には、前記異物浸入規制部材自身を弾性により復元して該端子接続用開口部の開口形状を閉塞することができるようになっていることを特徴とするバッテリパック。
【請求項３】
請求項１に記載のバッテリパックにおいて、
前記異物浸入規制部材は、前記端子接続用開口部の開口形状を開け閉め可能に遮断する扉部と、該扉部を閉じ方向に付勢し該扉部にて該端子接続用開口部の開口形状を閉塞する付勢部とを具備して形成されており、
前記バッテリ側接続端子に前記本体側接続端子が接続される場合には、前記異物浸入規制部材の前記扉部に当接してスライド移動する該本体側接続端子のスライド移動に応じて前記付勢部の付勢力に抗して該扉部を開けて該異物浸入規制部材の内側に該本体側接続端子を挿し入れることができるようになっており、
前記工具本体に対して非装着となるバッテリパック単体時には、前記異物浸入規制部材の前記付勢部の付勢力により前記扉部を閉じて該端子接続用開口部の開口形状を閉塞することができるようになっていることを特徴とするバッテリパック。
【請求項４】
請求項３に記載のバッテリパックにおいて、
前記扉部と前記付勢部とは、一体で成形されていることを特徴とするバッテリパック。
【請求項５】
請求項１から請求項４のいずれかに記載のバッテリパックにおいて、
前記異物浸入規制部材のうち、前記工具本体をスライド装着させる際の前記本体側接続端子のスライド移動により該本体側接続端子が当接する部分には、該異物浸入規制部材の内側に該本体側接続端子を挿し入れることができるように該本体側接続端子を案内するガイド部が設けられていることを特徴とするバッテリパック。
【請求項６】
請求項１から請求項５のいずれかに記載のバッテリパックにおいて、
前記異物浸入規制部材は、耐熱性を有して形成されていることを特徴とするバッテリパック。
【請求項７】
請求項１から請求項６のいずれかに記載のバッテリパックにおいて、
前記異物侵入規制部材は、分離される２つ以上に設定されていることを特徴とするバッテリパック。
【発明の詳細な説明】
【技術分野】
【０００１】
本発明は、電動工具の電源として該電動工具の工具本体にスライド装着可能に構成されるバッテリパックに関する。
【背景技術】
【０００２】
従来、電動工具は、電動にて駆動する工具本体と、この工具本体の駆動電源となるバッテリパックとを備える。このバッテリパックは、工具本体に対して着脱可能に構成される（例えば、特許文献１参照）。このため、このバッテリパックは、充電量が少なくなると、工具本体から取り外して外部の専用充電器にて充電できるようになっている。また、このバッテリパックは、この専用充電器にて充電が完了すると、工具本体にバッテリパックを装着し、電動工具の駆動電源として機能するものとなっている。
一方、このバッテリパックは、工具本体等の被装着具に対してスライドして装着させることができるようになっている。このため、このようなバッテリパックには、このスライドして装着するに際し、被装着具側に設けられた雄形の接続端子を接続する雌形の接続端子が設けられている。
具体的には、上記した被装着具の雄形の接続端子は、バッテリパックを装着させる際のスライド方向に沿って延びた板形にて形成されている。これに対して、バッテリパックの雌形の接続端子は、この被装着具に対するスライド装着に応じて雄形の接続端子を接続するため、このスライド装着方向に沿って延びる形状を有する。このため、このバッテリパックの外装をなす筐体ケースには、この被装着具に対するスライド装着に応じて雄形の接続端子を接続する雌形の接続端子の形状に対応した開口形状の端子接続用開口部が設けられている。
【先行技術文献】
【特許文献】
【０００３】
【特許文献１】特開２０１０−１４６８７９号公報
【発明の概要】
【発明が解決しようとする課題】
【０００４】
他方、上記したバッテリパックは、工具本体等の被装着具から取り外されて単体で置かれることがある。このような場合、筐体ケースの端子接続用開口部は、外部に露出された状態となる。そうすると、端子接続用開口部を通じて水や塵埃等の異物が筐体ケースの内部に入ってしまうことがある。このように端子接続用開口部を通じて筐体ケースの内部に異物が入ると、この入った異物により雌形の接続端子を傷めてしまうことがある。
【０００５】
本発明は、このような事情に鑑みなされたものであって、本発明が解決しようとする課題は、電動工具の電源として該電動工具の工具本体（被装着具）にスライド装着可能に構成されるバッテリパックにおいて、スライド装着によってなされる工具本体側の接続端子との電気的な接続を阻害することなく、この工具本体から取り外されてバッテリパック単体で置かれる場合に、端子接続用開口部から水や塵埃等の異物が浸入するのを規制し、この接続用開口部の内側に存する接続端子を傷めないようにバッテリパックの接続端子を保護することにある。
【課題を解決するための手段】
【０００６】
上記した課題を解決するにあたって、本発明に係るバッテリパックは次の手段を採用する。
すなわち、本発明の第１の発明に係るバッテリパックは、電動工具の電源として該電動工具の工具本体にスライド装着可能に構成され且つスライド装着させる際の相対的なスライド移動によって該工具本体の本体側接続端子が接続されるバッテリ側接続端子を具備するバッテリパックであって、前記バッテリパックの外装をなす筐体ケースには、前記バッテリ側接続端子に対する前記本体側接続端子の接続が可能となるように、該筐体ケースの内外を連通した状態でスライド装着のスライド方向に延びる端子接続用開口部が設けられており、前記端子接続用開口部には、前記工具本体に対して非装着となるバッテリパック単体時に、該端子接続用開口部の開口形状を閉塞する異物浸入規制部材が設けられており、前記異物浸入規制部材は、前記バッテリ側接続端子に対する前記本体側接続端子の接続時における該接続を妨げないように機能することを特徴とする。
【０００７】
この第１の発明に係るバッテリパックによれば、異物浸入規制部材は、工具本体に対して非装着となるバッテリパック単体時に、端子接続用開口部の開口形状を閉塞するので、工具本体（被装着具）から取り外されてバッテリパック単体で置かれる場合には、異物浸入規制部材によって端子接続用開口部から水や塵埃等の異物が浸入するのを規制することができ、端子接続用開口部の内側に存するバッテリ側接続端子を傷めないように保護することができる。また、異物浸入規制部材は、バッテリ側接続端子に対する本体側接続端子の接続時における接続を妨げないように機能することができる。これによって、この第１の発明に係るバッテリパックによれば、スライド装着によってなされる本体側接続端子との電気的な接続を阻害することなく、工具本体から取り外されてバッテリパック単体で置かれる場合であっても、端子接続用開口部の内側に存するバッテリ側接続端子を傷めないようにバッテリ接続端子を保護することができる。
【０００８】
第２の発明に係るバッテリパックは、前記第１の発明に係るバッテリパックにおいて、前記異物浸入規制部材は、弾性を有し且つ前記端子接続用開口部の開口形状を閉塞する形状にて形成されており、前記バッテリ側接続端子に前記本体側接続端子が接続される場合には、前記異物浸入規制部材に当接してスライド移動する該本体側接続端子のスライド移動に応じて該異物浸入規制部材自身を弾性により変形させて該異物浸入規制部材の内側に該本体側接続端子を挿し入れることができるようになっており、前記工具本体に対して非装着となるバッテリパック単体時には、前記異物浸入規制部材自身を弾性により復元して該端子接続用開口部の開口形状を閉塞することができるようになっていることを特徴とする。
この第２の発明に係るバッテリパックの異物浸入規制部材は、弾性を有し且つ開口形状を閉塞する形状にて形成されている。これにより、バッテリ側接続端子に本体側接続端子が接続される場合には、本体側接続端子のスライド移動に応じて異物浸入規制部材自身を弾性により変形させて異物浸入規制部材の内側に本体側接続端子を挿し入れることができる。また、工具本体に対して非装着となるバッテリパック単体時には、異物浸入規制部材自身を弾性により復元して端子接続用開口部の開口形状を閉塞することができる。これによって、この第２の発明に係るバッテリパックによれば、上記した第１の発明に係るバッテリパックの作用効果を奏する上で、簡単に構成することができることにより、製造コストを安価にでき、組付け作業も簡単にできる。
【０００９】
第３の発明に係るバッテリパックは、前記第１の発明に係るバッテリパックにおいて、前記異物浸入規制部材は、前記端子接続用開口部の開口形状を開け閉め可能に遮断する扉部と、該扉部を閉じ方向に付勢し該扉部にて該端子接続用開口部の開口形状を閉塞する付勢部とを具備して形成されており、前記バッテリ側接続端子に前記本体側接続端子が接続される場合には、前記異物浸入規制部材の前記扉部に当接してスライド移動する該本体側接続端子のスライド移動に応じて前記付勢部の付勢力に抗して該扉部を開けて該異物浸入規制部材の内側に該本体側接続端子を挿し入れることができるようになっており、前記工具本体に対して非装着となるバッテリパック単体時には、前記異物浸入規制部材の前記付勢部の付勢力により前記扉部を閉じて該端子接続用開口部の開口形状を閉塞することができるようになっていることを特徴とする。
この第３の発明に係るバッテリパックの異物浸入規制部材は、開口形状を開け閉め可能に遮断する扉部と、扉部を閉じ方向に付勢し扉部にて開口形状を閉塞する付勢部とを具備して形成されている。これにより、バッテリ側接続端子に本体側接続端子が接続される場合には、本体側接続端子のスライド移動に応じて付勢部を弾性変形させて扉部を開け、本体側接続端子を異物浸入規制部材の内側に挿し入れることができる。また、工具本体に対して非装着となるバッテリパック単体時には、異物浸入規制部材の付勢部の付勢力により扉部を閉じて端子接続用開口部の開口形状を閉塞することができる。これによって、上記した第１の発明に係るバッテリパックの作用効果を奏する上で、奏するべき機能を区分けすることにより、より確実に作用効果を奏することができる。
【００１０】
第４の発明に係るバッテリパックは、前記第１から前記第３のいずれかの発明に係るバッテリパックにおいて、前記異物浸入規制部材のうち、前記工具本体をスライド装着させる際の前記本体側接続端子のスライド移動により該本体側接続端子が当接する部分には、該異物浸入規制部材の内側に該本体側接続端子を挿し入れることができるように該本体側接続端子を案内するガイド部が設けられていることを特徴とする。
なお、この『該異物浸入規制部材の内側に該本体側接続端子を挿し入れることができるように該本体側接続端子を案内するガイド部』の形状としては、面取り形状、テーパ形状、傾斜形状等、さまざまな形状を選択することができる。
この第４の発明に係るバッテリパックによれば、異物浸入規制部材のうち本体側接続端子が当接する部分にはガイド部が設けられているので、異物浸入規制部材の内側に本体側接続端子を挿し入れることができるように本体側接続端子を案内することができる。これによって、工具本体をスライド装着させる際の本体側接続端子のスライド移動によって、異物浸入規制部材の内側に本体側接続端子をスムーズに挿し入れることができる。
【００１１】
第５の発明に係るバッテリパックは、前記第１から前記第４のいずれかの発明に係るバッテリパックにおいて、前記異物浸入規制部材は、耐熱性を有して形成されていることを特徴とする。
この第５の発明に係るバッテリパックによれば、異物浸入規制部材は耐熱性を有して形成されているので、使用時あるいは充電時にバッテリパックが熱を帯びてしまうことがあっても、この熱による異物浸入規制部材の劣化を抑えることができる。これによって、異物浸入規制部材の劣化を抑えてバッテリパックとしての製品寿命を延ばすことにも寄与できる。
【発明の効果】
【００１２】
第１の発明に係るバッテリパックによれば、スライド装着によってなされる本体側接続端子との電気的な接続を阻害することなく、工具本体から取り外されてバッテリパック単体で置かれる場合であっても、端子接続用開口部の内側に存するバッテリ側接続端子を傷めないようにバッテリ接続端子を保護することができる。
第２の発明に係るバッテリパックによれば、簡単に構成することができることにより、製造コストを安価にでき、組付け作業も簡単にできる。
第３の発明に係るバッテリパックによれば、奏するべき機能を区分けすることにより、より確実に作用効果を奏することができる。
第４の発明に係るバッテリパックによれば、工具本体をスライド装着させる際の本体側接続端子のスライド移動によって、異物浸入規制部材の内側に本体側接続端子をスムーズに挿し入れることができる。
第５の発明に係るバッテリパックによれば、異物浸入規制部材の劣化を抑えてバッテリパックとしての製品寿命を延ばすことにも寄与できる。
【図面の簡単な説明】
【００１３】
【図１】第１の実施の形態のバッテリパックを示す外観斜視図である。
【図２】図１のバッテリパックの内部を示す第１内部斜視図である。
【図３】図１のバッテリパックの内部を示す第２内部斜視図である。
【図４】図１のバッテリパックの上面を示す上面図である。
【図５】図４におけるＶ−Ｖ断面にての斜視を示す断面図である。
【図６】図５のバッテリパックの側面視を示す断面図である。
【図７】スライド装着時における図２のバッテリパックを示す内部斜視図である。
【図８】第２の実施の形態のバッテリパックの内部を示す内部斜視図である。
【図９】スライド装着時における図８のバッテリパックを示す内部斜視図である。
【図１０】図９の電気接続部を拡大して示す拡大斜視図である。
【発明を実施するための形態】
【００１４】
［第１の実施の形態］
以下に、本発明に係るバッテリパックを実施するための第１の実施の形態について図１〜図７の図面を参照しながら説明する。なお、図示されるバッテリパック１０は、電気接続側がバッテリパック１０の上側として規定しており、スライド装着方向をバッテリパック１０の前側として規定している。
図１では、第１の実施の形態となるバッテリパック１０の外観斜視を示している。図１に示すバッテリパック１０は、例えば電動ドライバに代表される電動工具（不図示）の駆動電源として、この電動工具の工具本体に着脱可能にされるものである。このバッテリパック１０は、充電量が少なくなると工具本体から取り外されて外部の専用充電器に充電されるようになっており、電動工具を使用する場合に電動工具の駆動電源として工具本体に装着するようになっている。ここで、バッテリパック１０は、被装着具としての工具本体や専用充電器に対してスライド装着可能なスライド装着構造を有して構成されている。
図２は、上蓋部材１６を取り外したバッテリパック１０の内部を示す第１内部斜視図である。図３は、上蓋部材１６およびゴムカバー体４０を取り外したバッテリパック１０の内部を示す第２内部斜視図である。
【００１５】
図２および図３に示すように、バッテリパック１０は、概略、筐体ケース１１と、内部装置体２１とを備える。筐体ケース１１は、バッテリパック１０の外装ケースとしての機能を有しつつ、内部装置体２１を内蔵する筐体としての機能を有する。筐体ケース１１は、上部が開口された箱形状のケース本体１２と、このケース本体１２の上蓋としてケース本体１２の開口上部を閉塞する上蓋部材１６とを備える。ケース本体１２は、箱形状内部に内部装置体２１を配置することができるようになっている。上蓋部材１６は、箱形状内部に内部装置体２１を配置したケース本体１２の開口上部を閉塞するように取り付けられ、不図示の締結螺子にて螺子締結され、内部装置体２１を内蔵する筐体構造をなす筐体ケース１１となる。なお、この筐体ケース１１には、電気接続部３４を配設するにあたって、図１に示すように筐体ケース１１の外部から筐体ケース１１の内部に連通する開口形状が形成されている。内部装置体２１は、バッテリパック１０の電源として機能を有する。内部装置体２１は、図３に示すように、複数本の電池セル２２と、この複数の電池セル２２と電気的に接続される制御基板２６とを備える。電池セル２２は、充電可能な電池セルであり、バッテリパック１０が電動工具の駆動電源として機能する。この電池セル２２は、図２や図３に示すように筐体ケース１１に複数本内蔵されており、制御基板２６に電気的に接続されている。制御基板２６は、電池セル２２を蓄電したり放電したりするに際しての制御を適宜に行う。なお、この制御基板２６は、後に説明するプラス用接続部３４１のプラス用接続端子３６１、マイナス用接続部３４２のマイナス用接続端子３６２、制御用接続部３４３の制御用接続端子３６３に対して、電気的に接続されている。
【００１６】
ところで、上記した筐体ケース１１の上面１７には、図１に示すように、被装着具としての工具本体（不図示）や専用充電器（不図示）にスライド装着するためのスライド装着部３０が設けられている。このスライド装着部３０は、バッテリパック１０をスライド装着させる機能を有する。すなわち、スライド装着部３０は、バッテリパック１０のスライド装着をガイドしつつ、工具本体等と電気的に接続可能とされるように構成される。具体的には、スライド装着部３０は、図１に示すように、バッテリパック１０のスライド装着をガイドするスライドガイド部３１と、バッテリパック１０を電気的に接続する電気接続部３４とを備える。
スライドガイド部３１は、バッテリパック１０の上面１７にて左右幅方向に対をなすように適宜外フランジ形状に張り出しながら前後方向に延びる雄形ガイド形状にて形成されている。このスライドガイド部３１は、工具本体等に設けられた雌形ガイド形状に対してスライド方向にて嵌め合うことができるものである。なお、バッテリパック１０は、図１に示すように、前側に向かってバッテリパック１０がスライド装着される方向となっており、後側に向かってはバッテリパック１０が取外しされる方向となっている。
【００１７】
ところで、このバッテリパック１０には、上記した工具本体（被装着具）に装着した際に、この工具本体側に設けられる不図示の雌フック部と嵌合する雄フック機構５０が設けられている。この雄フック機構５０は、筐体ケース１１と内部装置体２１との間に形成された収容空間に収容されるようにして配設される。雄フック機構５０は、図２〜図４に示すように、概略、ベース部材５１と、付勢コイルばね５３と、雄フック本体５５とを備える。ベース部材５１は、筐体ケース１１と内部装置体２１とを隔離する構造を有し、筐体ケース１１に対して固定されている。付勢コイルばね５３は、下端がベース部材５１の上面に当接し、上端が雄フック本体５５の下面に当接し、もって雄フック本体５５を上側に向けて付勢する。雄フック本体５５は、付勢コイルばね５３により上側に向けて付勢されており、ベース部材５１と筐体ケース１１とに対して相対的に上下移動可能に構成されている。
雄フック本体５５は、概略、連結部５６と、操作部５７と、フック部５８とを備える。なお、操作部５７およびフック部５８は、雄フック本体５５のうち外部に露出する部分であり、連結部５６は、これら操作部５７とフック部５８とを連結するように延在する部分である。連結部５６は、上記した付勢コイルばね５３の付勢力を受ける部分でもある。操作部５７は、雄フック本体５５後部に位置する部分であり、操作指をかけることができる凹形状を有して形成される。操作部５７は、図４に示すように、筐体ケース１１後部の操作露出窓１１１から外部に露出される。また、連結部５６を介して操作部５７と一体化されるフック部５８は、筐体ケース１１上部に設けられたフック露出窓１１２から外部に露出される。このフック部５８は、工具本体（被装着具）の不図示の雌フック部と嵌合する適宜の雄フック形状にて形成されている。つまり、常態時の雄フック機構５０は、雄フック本体５５のフック部５８を付勢コイルばね５３の付勢力によりフック露出窓１１２から突出させ、工具本体（被装着具）の雌フック部（不図示）と嵌合可能な状態となる。これに対して、付勢コイルばね５３の付勢力に抗して操作部５７を下側に引き下げた場合には、フック露出窓１１２から外部に露出するフック部５８は、その外部に露出する突出量を小さくするように下側に移動することとなる。そうすると、工具本体（被装着具）の雌フック部（不図示）との嵌合を解除することとなり、バッテリパック１０をスライド装着した状態から外すことができることとなる。なお、図１に示すフック露出窓１１２の前側に位置する図示符号５９は、筐体ケース１１内部に配置される内部装置体２１に向けて風を送るための通風用開口部である。
【００１８】
電気接続部３４は、不図示の工具本体等にバッテリパック１０をスライド装着させた場合に、この工具本体側に設けられる本体側接続端子（図７における符号９１，９２，９３）と電気的に接続する部分である。このため、電気接続部３４は、図３に示すように、電力を充電あるいは放電するための電気的接続部分となるプラス用接続部３４１およびマイナス用接続部３４２と、上記した制御基板２６と連携するための電気的接続部分となる制御用接続部３４３との、３つの電気的接続部分を有する。これら３つの電気接続部３４（プラス用接続部３４１、マイナス用接続部３４２、制御用接続部３４３）は、概略、図４に示す端子接続用開口部３５（プラス接続用開口部３５１、マイナス接続用開口部３５２、制御接続用開口部３５３）と、図３に示すバッテリ側接続端子３６（プラス用接続端子３６１、マイナス用接続端子３６２、制御用接続端子３６３）とを備える。なお、このバッテリ側接続端子３６（プラス用接続端子３６１、マイナス用接続端子３６２、制御用接続端子３６３）は、図３に示すように、制御基板２６に載置されるように制御基板２６と電気的に接続されている。また、これらのバッテリ側接続端子３６は、弾性リーフスプリング状の金属接点を対向配置させることにより形成される。つまり、これらのバッテリ側接続端子３６に対して、板状にて形成される工具本体の本体側接続端子（図７における符号９１，９２，９３）をスライド嵌入させると、対向配置された弾性リーフスプリング状の金属接点が工具本体の本体側接続端子９１，９２，９３と接した状態で挟み込んだ状態となり、互いは電気的に接続された状態となる。
【００１９】
ここで、プラス用接続部３４１は、プラス接続用開口部３５１（端子接続用開口部３５）と、プラス用接続端子３６１（バッテリ側接続端子３６）とを備える。プラス接続用開口部３５１は、工具本体側の本体側接続端子（図７における符号９１，９２，９３）がスライドして嵌入されるように、バッテリパック１０の前後方向に延びる凹溝形状にて形成される。このプラス接続用開口部３５１の内部には、図３に示すようにプラス用接続端子３６１が配設されている。このプラス用接続端子３６１は、スライド嵌入する工具本体側の本体側接続端子と電気的に接続するものであり、板ばね状の金属端子を対向配置することにより構成される。
マイナス用接続部３４２は、プラス用接続部３４１と同様に構成される。すなわち、マイナス用接続部３４２は、マイナス接続用開口部３５２（端子接続用開口部３５）と、マイナス用接続端子３６２（バッテリ側接続端子３６）とを備える。マイナス接続用開口部３５２は、工具本体側の本体側接続端子がスライドして嵌入されるように、バッテリパック１０の前後方向に延びる切欠き溝形状にて形成される。このマイナス接続用開口部３５２の内部には、図３に示すようにマイナス用接続端子３６２が配設されている。このマイナス用接続端子３６２は、スライド嵌入する工具本体側の本体側接続端子と電気的に接続するものであり、板ばね状の金属端子を対向配置することにより構成される。
【００２０】
制御用接続部３４３は、上記したプラス用接続部３４１とマイナス用接続部３４２との間に設けられている。制御用接続部３４３は、制御接続用開口部３５３（端子接続用開口部３５）と、制御用接続端子３６３（バッテリ側接続端子３６）とを備える。制御接続用開口部３５３は、工具本体側の本体側接続端子がスライドして嵌入されるように、バッテリパック１０の前後方向に延びる凹溝形状にて形成される。この制御接続用開口部３５３の内部には、図３に示すように制御用接続端子３６３が配設されている。この制御用接続端子３６３は、スライド嵌入する工具本体側の制御端子（本体側接続端子）と電気的に接続するものであり、板ばね状の金属端子を対向配置することにより構成される。なお、これらバッテリ側接続端子３６（プラス用接続端子３６１、マイナス用接続端子３６２、制御用接続端子３６３）に工具本体の本体側接続端子（図７における符号９１，９２，９３）が接続されるには、工具本体にスライド装着させる際のバッテリパック１０の工具本体に対する相対的なスライド移動によって接続される。また、この制御接続用開口部３５３の長さは、上記したプラス用接続部３４１およびマイナス用接続部３４２の端子接続用開口部３５１，３５２の長さよりも短い長さに設定されている。
また、上記したバッテリ側接続端子３６（プラス用接続端子３６１、マイナス用接続端子３６２、制御用接続端子３６３）は制御基板２６に電気的に接続されているため、これらバッテリ側接続端子３６が配設される部位には、筐体ケース１１の外部から筐体ケース１１の内部に連通する開口形状となる端子接続用開口部３５（プラス接続用開口部３５１、マイナス接続用開口部３５２、制御接続用開口部３５３）が形成されるものとなっている。この端子接続用開口部３５（プラス接続用開口部３５１、マイナス接続用開口部３５２、制御接続用開口部３５３）は、バッテリ側接続端子３６（プラス用接続端子３６１、マイナス用接続端子３６２、制御用接続端子３６３）と、工具本体の本体側接続端子とを接続するにあたって、筐体ケース１１に設けられるものである。このため、これらの端子接続用開口部３５（プラス接続用開口部３５１、マイナス接続用開口部３５２、制御接続用開口部３５３）は、筐体ケース１１の内外を連通した状態でスライド装着のスライド方向に延びている。なお、端子接続用開口部３５（プラス接続用開口部３５１、マイナス接続用開口部３５２、制御接続用開口部３５３）の前側部分は、工具本体の本体側接続端子（図７における符号９１，９２，９３）が端子接続用開口部３５にスライド嵌入し易くなるように、スライド嵌入する隙間幅が前面側に向かって拡がる形状が選択されている。
【００２１】
ところで、これらの端子接続用開口部３５（プラス接続用開口部３５１、マイナス接続用開口部３５２、制御接続用開口部３５３）には、図２に示すように、工具本体に対して非装着状態となる際、これらの開口形状の端子接続用開口部３５を閉塞するように機能するゴムカバー体４０が設けられている。つまり、図１および図２に示すように、バッテリパック１０が工具本体等の被装着具に装着されておらずに単体にて置かれている場合には、このゴムカバー体４０にてバッテリ側接続端子３６が見えなくなるように、ゴムカバー体４０は端子接続用開口部３５の開口形状を閉塞する。ここで、このゴムカバー体４０は、上記したバッテリ側接続端子３６に対する工具本体の本体側接続端子（図７における符号９１，９２，９３）の接続を妨げないように機能するように形成されている。以下、このゴムカバー体４０について詳細に説明する。
ゴムカバー体４０は、支持体４１とゴムカバー本体４２とにより構成される。支持体４１は、制御基板２６側にて支持されるように配設されるものである。ゴムカバー本体４２は、発明に係る異物浸入規制部材に相当する部分であり、支持体４１にて支持されつつ、それぞれの端子接続用開口部３５に対して設けられるようになっている。すなわち、プラス接続用開口部３５１にはプラス用端子ゴムカバー本体４３が配設されており、マイナス接続用開口部３５２にはマイナス用端子ゴムカバー本体４４が配設されており、制御接続用開口部３５３には制御端子ゴムカバー本体４５が配設されている。
【００２２】
これらプラス用端子ゴムカバー本体４３、マイナス用端子ゴムカバー本体４４、制御端子ゴムカバー本体４５は、略同一に構成される。このため、ゴムカバー本体４２を説明するにあたっては、マイナス用端子ゴムカバー本体４４を例に挙げて説明するものとする。図４は、図１のバッテリパック１０の外観を上面視にて示している。図５は、図４のバッテリパック１０のＶ−Ｖ断面にての斜視を示す断面図である。図６は、図５のバッテリパック１０の側面視を示す断面図である。なお、図５および図６は、図４に示すバッテリパック１０の上蓋部材１６が取り外された断面である。
マイナス用端子ゴムカバー本体４４（ゴムカバー本体４２）は、耐熱性および弾性を有したゴム樹脂を成形することにより形成される。マイナス用端子ゴムカバー本体４４は、図５および図６に示すように、概略、側面視Ｌ字状に配列されて一体成形される上側壁４４１と前側壁４４３とを具備して構成される。つまり、このマイナス用端子ゴムカバー本体４４の上側壁４４１は、上記したマイナス接続用開口部３５２の上側部分を閉塞するように形成されている。これに対してマイナス用端子ゴムカバー本体４４の前側壁４４３は、上記したマイナス接続用開口部３５２の前側部分を閉塞するように形成されている。
ここで図５および図６に示すように、このようにマイナス接続用開口部３５２を閉塞するマイナス用端子ゴムカバー本体４４の上側壁４４１および前側壁４４３には、スリット４７２（スリット４７）が設けられている。このスリット４７２は、あたかもマイナス用端子ゴムカバー本体４４を左右半割れとなるように、上側壁４４１および前側壁４４３に対してスライド装着方向と一致するバッテリパック１０の前後方向に延びるように設けられるものである。このスリット４７２は、上側壁４４１と前側壁４４３とを連なって設けられており、工具本体側に設けられる本体側接続端子（図７における符号９２）が挿し込み可能な割れ目として形成されている。なお、図においては見え難いが、上側壁４４１の後側端部には、スリット４７２を延設せずに左右連接するように連なって成形されている。また、前側壁４４３の下側端部には、スリット４７２を延設せずに左右連接するように連なって成形されている。
【００２３】
このようにしてマイナス用端子ゴムカバー本体４４（ゴムカバー本体４２）に設けられたスリット４７２（スリット４７）には、工具本体側に設けられる本体側接続端子９２が挿し込まれる。図７は、図２と同様、上蓋部材１６を取り外したバッテリパック１０の内部を示す内部斜視図であり、バッテリパック１０の工具本体に対するスライド装着に応じて端子接続用開口部３５のそれぞれに対してスライド嵌入される工具本体の本体側接続端子９１，９２，９３が図示されている。
すなわち、図７に示すように、弾性を有しつつマイナス接続用開口部３５２（端子接続用開口部３５）の開口形状を閉塞するマイナス用端子ゴムカバー本体４４（ゴムカバー本体４２）は、スリット４７２（スリット４７）に工具本体側に設けられる本体側接続端子９２が挿し込まれる。この際、このマイナス用端子ゴムカバー本体４４（ゴムカバー本体４２）は、マイナス用端子ゴムカバー本体４４に当接してスライド移動する本体側接続端子９２のスライド移動に応じてマイナス用端子ゴムカバー本体４４自身を弾性により変形させる。そうすると、スライド移動する本体側接続端子９２は、マイナス用端子ゴムカバー本体４４の内側に挿し入れられることとなり、やがてマイナス用接続端子３６２（バッテリ側接続端子３６）に接続される。これに対して、工具本体に対して非装着となるバッテリパック１０単体時には、マイナス用端子ゴムカバー本体４４自身は、弾性により復元してマイナス接続用開口部３５２の開口形状を閉塞することができる。なお、弾性を有しつつプラス接続用開口部３５１（端子接続用開口部３５）の開口形状を閉塞するプラス用端子ゴムカバー本体４３（ゴムカバー本体４２）も同様の作用を奏するものとなっており、弾性を有しつつ制御接続用開口部３５３（端子接続用開口部３５）の開口形状を閉塞する制御端子ゴムカバー本体４５（ゴムカバー本体４２）も同様の作用を奏するものとなっている。
【００２４】
ところで、図６に示すように、プラス用接続端子３６１（プラス用接続部３４１）の配設部位の周辺、マイナス用接続端子３６２（マイナス用接続部３４２）の配設部位の周辺、制御用接続端子３６３（制御用接続部３４３）の配設部位の前側部分は、バッテリパック１０の上面１７として設定されるとともに、筐体ケース１１の上面としても設定される部分である。このバッテリパック１０の上面１７は、傾斜構造（傾斜する平面形状）にて形成されている。すなわち、バッテリパック１０の上面１７は、略平面形状でありながら、バッテリパック１０の前側に向かうにしたがってバッテリパック１０の下側に向かうように傾斜角度が付けられている。このため、このバッテリパック１０の上面１７に水がかかるなどして、バッテリパック１０の上面１７に水が乗っかった場合には、このバッテリパック１０の上面１７の水は、このバッテリパック１０の上面１７のうち、電気接続部３４（プラス用接続部３４１、マイナス用接続部３４２、制御用接続部３４３）の配設側に向かって流れることなく、これとは反対側となるバッテリパック１０の前側に向かって流れることとなる。言い換えれば、バッテリパック１０の上面１７の水は、電気接続部３４の配設側から遠ざかる方向に流れることとなる。なお、図６に示すように、バッテリパック１０の上面１７に面する、電気接続部３４の端子接続用開口部３５（プラス接続用開口部３５１、マイナス接続用開口部３５２、制御接続用開口部３５３）の前側開口端には、バッテリパック１０の上面１７を上側に一段高く突出させた段差形状にて形成されている。この一段高く突出さえた段差形状により、上記したバッテリパック１０の上面１７の水は、端子接続用開口部３５（プラス接続用開口部３５１、マイナス接続用開口部３５２、制御接続用開口部３５３）側に浸入し難いものとなっている。
【００２５】
上記した第１の実施の形態のバッテリパック１０によれば、次のような作用効果を奏することができる。
すなわち、上記したバッテリパック１０によれば、異物浸入規制部材としてのゴムカバー本体４２（プラス用端子ゴムカバー本体４３、マイナス用端子ゴムカバー本体４４、制御端子ゴムカバー本体４５）は、不図示の工具本体に対して非装着となるバッテリパック１０単体時に、端子接続用開口部３５（プラス接続用開口部３５１、マイナス接続用開口部３５２、制御接続用開口部３５３）の開口形状を閉塞する。これによって、工具本体から取り外されてバッテリパック１０単体で置かれる場合には、ゴムカバー本体４２により端子接続用開口部３５から水や塵埃等の異物が浸入するのを規制することができ、端子接続用開口部３５の内側に存するバッテリ側接続端子３６（プラス用接続端子３６１、マイナス用接続端子３６２、制御用接続端子３６３）を傷めないように保護することができる。また、ゴムカバー本体４２はバッテリ側接続端子３６に対する本体側接続端子の接続時における接続を妨げないように機能するので、この本体側接続端子９１，９２，９３とバッテリ側接続端子３６との電気的な接続をゴムカバー本体４２は阻害することがない。もって、上記したバッテリパック１０によれば、スライド装着によってなされる本体側接続端子９１，９２，９３との電気的な接続を阻害することなく、工具本体から取り外されてバッテリパック１０単体で置かれる場合であっても、端子接続用開口部３５の内側に存するバッテリ側接続端子３６を傷めないようにバッテリ側接続端子３６を保護することができる。
【００２６】
また、上記したバッテリパック１０のゴムカバー本体４２は、弾性を有し且つ開口形状を閉塞する形状にて形成されている。これにより、バッテリ側接続端子３６に本体側接続端子９１，９２，９３が接続される場合には、本体側接続端子９１，９２，９３のスライド移動に応じてゴムカバー本体４２自身を弾性により変形させてゴムカバー本体４２の内側に本体側接続端子９１，９２，９３を挿し入れることができる。また、工具本体に対して非装着となるバッテリパック１０単体時には、ゴムカバー本体４２自身を弾性により復元して端子接続用開口部３５の開口形状を閉塞することができる。これによって、上記したバッテリパック１０によれば、簡単に構成することができることにより、製造コストを安価にでき、組付け作業も簡単にできる。
また、上記したバッテリパック１０によれば、ゴムカバー本体４２は耐熱性を有して形成されているので、使用時あるいは充電時にバッテリパック１０が熱を帯びてしまうことがあっても、この熱によるゴムカバー本体４２の劣化を抑えることができる。これによって、ゴムカバー本体４２の劣化を抑えてバッテリパック１０としての製品寿命を延ばすことにも寄与できる。
【００２７】
［第２の実施の形態］
次に、本発明に係るバッテリパックを実施するための第２の実施の形態について図８〜図１０の図面を参照しながら説明する。図８は、第２の実施の形態のバッテリパック６０の内部を示す内部斜視図である。図９は、スライド装着時における図８のバッテリパックを示す内部斜視図である。図１０は、図９のマイナス用接続部３４２（電気接続部３４）を拡大して示す拡大斜視図である。
この第２の実施の形態のバッテリパック６０は、上記した第１の実施の形態のバッテリパック１０のうち、本発明に係る異物浸入規制部材に相当するゴムカバー本体４２を、弾性開閉部材７０に代替したものである。このため、以下に説明する第２の実施の形態のバッテリパック６０のうち、弾性開閉部材７０以外の構成については上記した第１の実施の形態のバッテリパック１０の構成と同一となる。これにより、このバッテリパック６０のうち、上記したバッテリパック１０の構成と同一に構成される部分については、上記した符号を付して説明を省略する。
図８に示すように、上記したゴムカバー本体４２を代替する弾性開閉部材７０は、本発明に係る異物浸入規制部材に相当する部材であり、工具本体に対して非装着状態となる際、これらの開口形状の端子接続用開口部３５を閉塞するように機能するものである。また、この弾性開閉部材７０は、バッテリ側接続端子３６に対する工具本体の本体側接続端子（図９における符号９１，９２，９３）の接続を妨げないように機能するように形成されている。以下、この弾性開閉部材７０について詳細に説明する。
弾性開閉部材７０は、図８に示すように、上記したゴムカバー本体４２と同様、それぞれの端子接続用開口部３５に対して設けられている。つまり、プラス接続用開口部３５１にはプラス用端子弾性開閉部材７１が配設されており、マイナス接続用開口部３５２にはマイナス用端子弾性開閉部材７２が配設されており、制御接続用開口部３５３には制御端子弾性開閉部材７３が配設されている。なお、これらプラス用端子弾性開閉部材７１、マイナス用端子弾性開閉部材７２、制御端子弾性開閉部材７３は、略同一に構成される。このため、以下に説明する弾性開閉部材７０は、マイナス用端子弾性開閉部材７２を例に挙げて説明するものとする。
【００２８】
マイナス用端子弾性開閉部材７２（弾性開閉部材７０）は、耐熱性および弾性を有したプラスチック樹脂を成形することにより形成される。このマイナス用端子弾性開閉部材７２は、図１０に示すように、概略、側面視Ｌ字状に配列されて一体成形される上側壁７２１と前側壁７２３とを具備して構成される。つまり、このマイナス用端子弾性開閉部材７２の上側壁７２１は、上記したマイナス接続用開口部３５２（端子接続用開口部３５）の上側部分を閉塞するように形成されている。これに対してマイナス用端子弾性開閉部材７２の前側壁７２３は、上記したマイナス接続用開口部３５２の前側部分を閉塞するように形成されている。
このマイナス用端子弾性開閉部材７２の上側壁７２１および前側壁７２３は、左右半割れにて対をなすように分割された構造にて構成されている。つまり、上記した第１の実施の形態におけるマイナス用端子ゴムカバー本体４４でいえば、スリット４７２の部分で互いに半割れをなすように構成されている。なお、この割れ方向としては、上記した第１の実施の形態と同様、スライド装着方向と一致するバッテリパック１０の前後方向に延びており、工具本体側に設けられる本体側接続端子（図１０における符号９２）が挿し込み可能な割れ目として形成されている。
【００２９】
上記したように対をなして形成されるマイナス用端子弾性開閉部材７２は、側面視Ｌ字状に配列された一体成形品であるが、機能的には、扉部７５２（弾性開閉部材７０に対する共通符号７５）と、この扉部７５２を付勢する付勢部７６２（弾性開閉部材７０に対する共通符号７６）とにより構成される。
図８および図９に示すように、扉部７５２は、マイナス用端子弾性開閉部材７２のうち対をなす対向部分にて構成される。この扉部７５２は、上記したマイナス接続用開口部３５２（端子接続用開口部３５）の開口形状を扉のように開け閉めするように機能する部分である。この扉部７５２が、マイナス接続用開口部３５２の開口形状を閉めた場合には、このマイナス接続用開口部３５２の開口形状を遮断することとなる。逆に、この扉部７５２が、マイナス接続用開口部３５２の開口形状を開けた場合には、上記した工具本体側に設けられる本体側接続端子（図１０における符号９２）が挿し入れ可能となり、内側のマイナス用接続端子３６２（バッテリ側接続端子３６）に接続可能な状態となる。このため、この扉部７５２は、このマイナス接続用開口部３５２の開口形状に沿うように形成されている。具体的には、この扉部７５２は、マイナス接続用開口部３５２（端子接続用開口部３５）の開口形状に対応した形状となるように、バッテリパック６０のスライド装着の前後方向に延びた形状にて形成される。このように形成された扉部７５２は、互いに接近離間できつつ、互いが当接するまで接近した場合にはマイナス接続用開口部３５２（端子接続用開口部３５）を閉塞することができるように、これに対して付勢部７６２は、この扉部７５２にてマイナス接続用開口部３５２（端子接続用開口部３５）の開口形状を閉塞するように、扉部７５２を閉じ方向に付勢するように機能する部分である。このため、付勢部７６２は、図１０にて拡大して示すように、上記した扉部７５２に対して適宜に離間した隙間を有したハ字状にて形成されている。このため、付勢部７６２は、内側が上記した扉部７５２と連接した状態で、外側がマイナス接続用開口部３５２（端子接続用開口部３５）の開口端縁に当接するように形成されており、付勢部７６２自身の弾性によって扉部７５２を閉じ方向に付勢している。なお、この付勢部７６２は、マイナス用接続端子３６２（バッテリ側接続端子３６）に本体側接続端子９２が接続される場合に、図８から図９に移るように弾性変形するものとなっている。
【００３０】
つまり、図８から図９に移るように、本体側接続端子９２がマイナス用端子弾性開閉部材７２（弾性開閉部材７０）の扉部７５２に当接してスライド移動する場合には、上記した付勢部７６２の付勢力に抗して、この本体側接続端子９２のスライド移動に応じて扉部７５２を開けることとなる。これにより、マイナス用端子弾性開閉部材７２の内側に本体側接続端子９２を挿し入れることができ、内側のマイナス用接続端子３６２（バッテリ側接続端子３６）に接続可能な状態となる。また逆に、工具本体に対して非装着となるバッテリパック６０単体時には、マイナス用端子弾性開閉部材７２の付勢部７６２の付勢力により扉部７５２を閉じて、マイナス接続用開口部３５２（端子接続用開口部３５）の開口形状を閉塞することができる。
なお、図８および図１０における部分丸抜き拡大図にて示すように、マイナス用接続端子３６２（バッテリ側接続端子３６）の前側壁７２３には、本発明に係るガイド部に相当する面取り部７７２（弾性開閉部材７０に対する共通符号７７）が設けられている。この面取り部７７２は、対をなす扉部７５２を構成する前側壁７２３のうち、互いに対向する部分に設けられる。具体的には、面取り部７７２は、互いに対向する前側の端縁部分を、鋭角の角部分を面取りするように形成されている。この面取り部７７２は、上記した工具本体をスライド装着させる際の本体側接続端子９２のスライド移動により本体側接続端子９２が当接する扉部７５２に設けられている、これにより、本体側接続端子９２を面取り部７７２の面取り形状に沿わせてスムーズに移動させることができるようになり、本体側接続端子９２のスライド移動に応じて扉部７５２をスムーズに開けることができる。つまり、面取り部７７２は、本体側接続端子９２のスライド移動を案内することができる。
【００３１】
上記した第２の実施の形態のバッテリパック６０によれば、次のような作用効果を奏することができる。
すなわち、上記したバッテリパック６０の弾性開閉部材７０（異物浸入規制部材）は、開口形状を開け閉め可能に遮断する扉部７５と、扉部７５を閉じ方向に付勢し扉部７５にて開口形状を閉塞する付勢部７６とを具備して形成されている。これにより、図９に示すようにバッテリ側接続端子３６に本体側接続端子９１，９２，９３が接続される場合には、本体側接続端子９１，９２，９３のスライド移動に応じて付勢部７６を弾性変形させて扉部７５を開け、本体側接続端子９１，９２，９３を弾性開閉部材７０の内側に挿し入れることができる。また、工具本体に対して非装着となるバッテリパック６０単体時には、弾性開閉部材７０の付勢部７６の付勢力により扉部７５を閉じて端子接続用開口部３５の開口形状を閉塞することができる。これによって、上記した第１の実施の形態に比して、異物浸入規制部材としての弾性開閉部材７０の奏するべき機能を区分けすることにより、より確実に作用効果を奏することができる。
また、上記したバッテリパック６０によれば、弾性開閉部材７０のうち本体側接続端子９１，９２，９３が当接する部分にはガイド部としての面取り部７７が設けられているので、弾性開閉部材７０の内側に本体側接続端子９１，９２，９３を挿し入れることができるように本体側接続端子９１，９２，９３を案内することができる。これによって、工具本体をスライド装着させる際の本体側接続端子９１，９２，９３のスライド移動によって、弾性開閉部材７０の内側に本体側接続端子９１，９２，９３をスムーズに挿し入れることができる。
また、上記したバッテリパック６０によれば、弾性開閉部材７０は耐熱性を有したプラスチック樹脂を成形品であるので、使用時あるいは充電時にバッテリパック６０が熱を帯びてしまうことがあっても、この熱による弾性開閉部材７０の劣化を抑えることができる。これによって、弾性開閉部材７０の劣化を抑えてバッテリパック１０としての製品寿命を延ばすことにも寄与できる。
【００３２】
なお、本発明に係るバッテリパックにあっては、上記した実施の形態に限定されるものではなく、次のように適宜個所を変更して構成するようにしてもよい。
すなわち、上記した実施の形態のバッテリパック１０，６０におけるゴムカバー体４０および弾性開閉部材７０は、上記した外装ケースとなる筐体ケース１１とは別体の部材で構成されるものであった。しかしながら、本発明に係る異物浸入規制部材は、これに限定されることなく、筐体ケースと一体化されて構成されるものであってもよい。このように異物浸入規制部材が筐体ケースと一体化されて構成される場合には、部品組付け工数を減らすことができて製造作業上において有利となる。逆に、異物浸入規制部材が筐体ケースと別体化されて構成される場合には、部品成形を単純化できて部品製造において有利となる。
また、上記した第１の実施の形態のバッテリパック１０では、本発明に係る異物浸入規制部材として、ゴムカバー本体４２を例に挙げて説明するものであった。しかしながら、このようなゴムカバー本体４２に代表される異物浸入規制部材としては、例えば、弾性を有した毛状のパイルを多数並列させてブラシ状に形成されるものであってもよい。つまり、上記した第２の発明に係るバッテリパックの異物浸入規制部材としては、自身の弾性により変形させて内側に本体側接続端子９１，９２，９３を挿し入れることができ、工具本体に対して非装着となるバッテリパック１０単体時には自身の弾性により復元して端子接続用開口部３５の開口形状を閉塞するように機能するものであればよく、上記した弾性を有した毛状のパイルを多数並列させて形成されるブラシ状の部材であっても、これに当てはまる。なお、このブラシ状の部材を形成するパイル（弾性を有した短い細線樹脂）に対しては、上記した耐熱性を向上させる性質加工がなされたり、水の浸入規制効果を向上させる撥水性を付与する性質加工がなされたりするものであってもよい。
【００３３】
また、上記した弾性開閉部材７０における扉部７５と付勢部７６とは、プラスチック樹脂を一体成形することにより形成されるものであった。しかしながら、本発明に係る扉部と付勢部とは、互いに別部品で形成されるものであってもよく、またプラスチック樹脂の成形品に限定されるものでもない。例えば、上記した扉部および付勢部のそれぞれを、金属の別部品により形成するものであってもよい。なお、上記したように扉部７５と付勢部７６とを一体成形品にて形成した場合には、組付け作業を簡単にする利点がある。
また、上記した弾性開閉部材７０には、本発明に係るガイド部にとして面取り部７７が設けられるものであった。しかしながら、本発明に係るガイド部は、例えば、弾性開閉部材７０の内側に本体側接続端子９１，９２，９３を挿し入れることができるように本体側接続端子９１，９２，９３を案内する機能を有していればよく、その形状としては、テーパ形状、傾斜形状等、さまざまな形状を選択することができる。また、このように面取り部７７ように機能するガイド部は、上記したゴムカバー本体４２に対して設けられるものであってもよい。
【符号の説明】
【００３４】
１０，６０  バッテリパック
１１  筐体ケース
１１１  操作露出窓
１１２  フック露出窓
１２  ケース本体
１６  上蓋部材
１７  上面
２１  内部装置体
２２  電池セル
２６  制御基板
３０  スライド装着部
３１  スライドガイド部
３４  電気接続部
３４１  プラス用接続部
３４２  マイナス用接続部
３４３  制御用接続部
３５  端子接続用開口部
３５１  プラス接続用開口部
３５２  マイナス接続用開口部
３５３  制御接続用開口部
３６  バッテリ側接続端子
３６１  プラス用接続端子
３６２  マイナス用接続端子
３６３  制御用接続端子
４０  ゴムカバー体
４１  支持体
４２  ゴムカバー本体（異物浸入規制部材）
４３  プラス用端子ゴムカバー本体（異物浸入規制部材）
４４  マイナス用端子ゴムカバー本体（異物浸入規制部材）
４４１，７２１  上側壁
４４３，７２３  前側壁
４５  制御端子ゴムカバー本体（異物浸入規制部材）
４７（４７１，４７２，４７３）  スリット
５０  雄フック機構
５１  ベース部材
５５  雄フック本体
５６  連結部
５７  操作部
５８  フック部
５９  通風用開口部
７０  弾性開閉部材（異物浸入規制部材）
７１  プラス用端子弾性開閉部材（異物浸入規制部材）
７２  マイナス用端子弾性開閉部材（異物浸入規制部材）
７３  制御端子弾性開閉部材（異物浸入規制部材）
７５（７５２）  扉部
７６（７６２）  付勢部
７７（７７２）  面取り部（ガイド部）
９１，９２，９３  本体側接続端子
【図１】
0005623251.tif 000002
【図２】
0005623251.tif 000003
【図３】
0005623251.tif 000004
【図４】
0005623251.tif 000005
【図５】
0005623251.tif 000006
【図６】
0005623251.tif 000007
【図７】
0005623251.tif 000008
【図８】
0005623251.tif 000009
【図９】
0005623251.tif 000010
【図１０】
0005623251.tif 000011